(57)【要約】  本発明の一実施形態は端末装置に関し、携帯用端末の端末表示部に表示される映像をディスプレイユニットのユニット表示部に拡大して表示することができ、ディスプレイユニットを介して携帯用端末の各種機能を活用することができる。【選択図】図２
2013544392.tif 000002
【特許請求の範囲】
【請求項１】
通話、インターネット接続、動画または音楽の再生、及び各種のアプリケーションの実行のうち少なくとも１つの機能を有する携帯用端末と、
前記携帯用端末と接続され、前記携帯用端末に形成された端末表示部の映像を拡大して表示するように前記端末表示部よりも大きい画面で形成されたユニット表示部が前面に形成されたディスプレイユニットと、
を備え、
前記ディスプレイユニットの前面以外の部分には、前記携帯用端末と信号送信が可能に接続されるよう前記携帯用端末をスライド結合方式で装着または取り外す装脱着部が形成されることを特徴とする端末装置。
【請求項２】
前記携帯用端末には、前記端末表示部に表示される映像を映像信号として出力する映像出力端子が形成され、
前記装脱着部には、前記端末表示部の映像を前記ユニット表示部に表示するために前記映像出力端子から前記映像信号の入力を受ける映像入力端子が形成され、
前記映像入力端子と前記映像出力端子は、前記携帯用端末の装着時に互いに結合されることを特徴とする請求項１に記載の端末装置。
【請求項３】
前記装脱着部と前記携帯用端末の接触部には、前記携帯用端末の装着時に前記端末表示部の電源を遮断する表示部の電源遮断機が形成されることを特徴とする請求項１に記載の端末装置。
【請求項４】
前記ディスプレイユニットにはユーザの操作に応じて命令が入力される操作部が備えられ、
前記操作部は、タッチスクリーン、タッチパッド、キーパッド、電子ペン、ジョイステック、及び、キーボードのうち少なくとも１つを含むことを特徴とする請求項１に記載の端末装置。
【請求項５】
前記ディスプレイユニットには、前記操作部への操作を操作信号として出力する信号出力端子が形成され、
前記携帯用端末には、前記信号出力端子から前記操作信号の入力を受ける信号入力端子が形成され、
前記信号出力端子と前記信号入力端子は、前記携帯用端末の装着時に互いに結合されることを特徴とする請求項４に記載の端末装置。
【請求項６】
前記ディスプレイユニットには作動に必要な電源を供給する電源供給システムが設けられ、
前記携帯用端末が前記装脱着部に装着された場合、前記携帯用端末は前記電源供給システムの電源によって充電されることを特徴とする請求項１に記載の端末装置。
【請求項７】
通話、インターネット接続、動画または音楽の再生、及び、各種のアプリケーションの実行のうち少なくとも１つの機能を有する携帯用端末と、
前記携帯用端末と接続され、前記携帯用端末に形成された端末表示部の映像を拡大して表示するように前記端末表示部よりも大きい画面で形成されたユニット表示部が前面に形成されたディスプレイユニットと、
前記ディスプレイユニットの背面に形成された装脱着部に一側が回転自在に接続され、前記携帯用端末の一側部が挟まれる差込部が他側に形成され、前記携帯用端末と前記ディスプレイユニットとの間で信号送信を媒介する端末ドッキングユニットと、
を含み、
前記端末ドッキングユニットは、前記携帯用端末を前記装脱着部の内部に挿入する第１位置、及び前記携帯用端末と前記端末ドッキングユニットが前記ディスプレイユニットの支持台の役割を担うように前記携帯用端末と前記ディスプレイユニットを一定の角度に開く第２位置のうちいずれか１つの位置に選択的に配置されることを特徴とする端末装置。
【請求項８】
前記端末ドッキングユニットの両側部は前記装脱着部の両側部に回転自在にヒンジ接続され、
前記差込部は前記携帯用端末の一側部がスライド挿入されるように前記端末ドッキングユニットに溝形状に形成されることを特徴とする請求項７に記載の端末装置。
【請求項９】
前記携帯用端末には、前記端末表示部に表示される映像を映像信号として出力する映像出力端子が形成され、
前記端末ドッキングユニットには、前記端末表示部の映像を前記ユニット表示部に表示するために前記映像出力端子から前記映像信号の入力を受ける映像入力端子が形成され、
前記映像入力端子と前記映像出力端子は、前記携帯用端末の装着時に互いに結合されることを特徴とする請求項７に記載の端末装置。
【請求項１０】
前記端末ドッキングユニットと前記携帯用端末の接触部には、前記携帯用端末の装着時に前記端末表示部の電源を遮断する表示部の電源遮断機が形成されることを特徴とする請求項７に記載の端末装置。
【請求項１１】
前記ディスプレイユニットには、ユーザの操作に応じて前記携帯用端末の作動を制御する命令が入力される操作部が設けられ、
前記操作部は、タッチスクリーン、タッチパッド、キーパッド、電子ペン、ジョイステック、及び、キーボードのうち少なくとも１つを含むことを特徴とする請求項７に記載の端末装置。
【請求項１２】
前記端末ドッキングユニットには、前記操作部の操作を操作信号として出力する信号出力端子が形成され、
前記携帯用端末には、前記信号出力端子から前記操作信号の入力を受ける信号入力端子が形成され、
前記信号出力端子と前記信号入力端子は、前記携帯用端末の装着時に互いに結合されることを特徴とする請求項１１に記載の端末装置。
【請求項１３】
前記ディスプレイユニットには、作動に必要な電源を供給する電源供給システムが設けられ、
前記携帯用端末が前記端末ドッキングユニットに装着された場合、前記携帯用端末は前記電源供給システムの電源によって充電されることを特徴とする請求項７に記載の端末装置。
【発明の詳細な説明】
【技術分野】
【０００１】
本発明は端末装置に関し、より詳しくは、ユーザが携帯した状態で通話、インターネット接続、動画及び音楽の再生、または、各種のアプリケーションの実行などを行う端末装置に関する。
【背景技術】
【０００２】
一般に、端末装置は通信回線を介してデータを入力または出力を行うために用いられる装置である。特に、最近では携帯電話やＰＤＡ（Personal Digital Assistant）のように移動通信サービスを提供する端末装置の使用が拡大しつつある。
【０００３】
例えば、スマートフォン（smart phone）は音声通話だけではなく、コンピュータのような様々な機能を提供する携帯電話である。すなわち、スマートフォンは、無線インターネットを用いてインターネットに接続してもよく、ユーザの所望する様々な種類のアプリケーションをインストールし、電子メールや動画再生などの機能も行うことができる。したがって、スマートフォンには円滑で手軽な操作のために様々なインタフェースが提供され、各種の情報と進行状況を表示する表示部が設けられている。
【０００４】
ところが、スマートフォンのような端末装置は、携帯性を確保するために小さいサイズで形成されざるを得ず、これによって端末装置の表示部も画面の大きさに限界がある。すなわち、端末装置は、一定サイズ以下の表示部を介して様々な機能を行ったり操作したりしなければならない。
【発明の概要】
【発明が解決しようとする課題】
【０００５】
本発明の目的は、携帯用端末の端末表示部に表示される画面をより広い画面に拡張し、ユーザの使用環境を向上することができる端末装置を提供する。
【０００６】
また、本発明の目的は、携帯用端末より広い画面を有するディスプレイユニットに携帯用端末を容易に結合させることができる端末装置を提供する。
【課題を解決するための手段】
【０００７】
本発明の一実施形態によれば、通話、インターネット接続、動画または音楽の再生、及び各種のアプリケーションの実行のうち少なくとも１つの機能を有する携帯用端末と、前記携帯用端末と接続され、前記携帯用端末に形成された端末表示部の映像を拡大して表示するように前記端末表示部よりも大きい画面で形成されたユニット表示部が前面に形成されたディスプレイユニットとを備える端末装置を提供する。そして、前記ディスプレイユニットの前面以外の部分には、前記携帯用端末と信号送信が可能に接続されるよう前記携帯用端末をスライド結合方式で装着または取外す装脱着部が形成される。
【０００８】
すなわち、前記携帯用端末が前記ディスプレイユニットの前記装脱着部にスライド方式で装脱着されるため、前記ディスプレイユニットと前記携帯用端末を手軽に装着または取外しできる。そして、前記端末表示部に表示される画面が前記ユニット表示部を介してより拡大された画面にユーザへ提供するため、前記携帯用端末の使用環境に応じて前記携帯用端末の使用の便利性を向上することができる。
【０００９】
前記携帯用端末には、前記端末表示部に表示される映像を映像信号として出力する映像出力端子が形成されてもよい。前記装脱着部には、前記端末表示部の映像を前記ユニット表示部に表示するために前記映像出力端子から前記映像信号の入力を受ける映像入力端子が形成されてもよい。前記映像入力端子と前記映像出力端子は、前記携帯用端末の装着時に互いに結合されてもよい。
【００１０】
したがって、前記携帯用端末の映像信号は、前記映像出力端子と前記映像入力端子を介して前記ディスプレイユニットに伝達される。そして、前記ディスプレイユニットは、前記映像信号を用いて前記端末表示部と同一の映像を前記ユニット表示部に表示することができる。
【００１１】
前記装脱着部と前記携帯用端末の接触部には、前記携帯用端末の装着時に前記端末表示部の電源を遮断する表示部の電源遮断機が形成されてもよい。すなわち、前記携帯用端末が前記装脱着部に装着された場合、前記携帯用端末と前記装脱着部の接触部に形成された前記表示部電源遮断機が作動され、前記端末表示部の電源が遮断される。したがって、前記携帯用端末と前記ディスプレイユニットの結合時に前記携帯用端末の不要な電力の無駄遣いを減らすことができる。
【００１２】
前記ディスプレイユニットにはユーザの操作に応じて命令が入力される操作部が備えられてもよい。前記操作部は、タッチスクリーン、タッチパッド、キーパッド、電子ペン、ジョイステック、及び、キーボードのうち少なくとも１つを含んでもよい。すなわち、前記ディスプレイユニットは操作部を介して前記携帯用端末の作動を調整することができる。
【００１３】
前記ディスプレイユニットには、前記操作部への操作を操作信号として出力する信号出力端子が形成されてもよい。前記携帯用端末には、前記信号出力端子から前記操作信号の入力を受ける信号入力端子が形成されてもよい。前記信号出力端子と前記信号入力端子は、前記携帯用端末の装着時に互いに結合されてもよい。
【００１４】
したがって、前記ディスプレイユニットの操作信号は、前記信号出力端子と前記信号入力端子を介して前記携帯用端末に伝達される。そして、前記携帯用端末は前記操作信号に応じて作動が調整される。
【００１５】
前記ディスプレイユニットには作動に必要な電源を供給する電源供給システムが設けられてもよい。前記携帯用端末が前記装脱着部に装着された場合、前記携帯用端末は前記電源供給システムの電源によって充電されてもよい。
【００１６】
本発明の他の実施携帯によると、通話、インターネット接続、動画または音楽の再生、及び、各種のアプリケーションの実行のうち少なくとも１つの機能を有する携帯用端末と、前記携帯用端末と接続され、前記携帯用端末に形成された端末表示部の映像を拡大して表示するように前記端末表示部よりも大きい画面で形成されたユニット表示部が前面に形成されたディスプレイユニットと、前記ディスプレイユニットの背面に形成された装脱着部に一側が回転自在に接続され、前記携帯用端末の一側部が挟まれる差込部が他側に形成され、前記携帯用端末と前記ディスプレイユニットとの間で信号送信を媒介する端末ドッキングユニットとを含む端末装置を提供する。そして、前記端末ドッキングユニットは、前記携帯用端末を前記装脱着部の内部に挿入する第１位置、及び前記携帯用端末と前記端末ドッキングユニットが前記ディスプレイユニットの支持台の役割を担うように前記携帯用端末と前記ディスプレイユニットを一定の角度に開く第２位置のうちいずれか１つの位置に選択的に配置されてもよい。
【００１７】
すなわち、前記携帯用端末が前記ドッキングユニットの前記差込部にスライド方式で装脱着されるため、前記ディスプレイユニットと前記携帯用端末を手軽に装着または取外しできる。そして、前記端末表示部に表示される画面が前記ユニット表示部を介してより拡大された画面にユーザへ提供するため、前記携帯用端末の使用環境に応じて前記携帯用端末の使用の便利性を向上することができる。
【００１８】
前記端末ドッキングユニットの両側部は前記装脱着部の両側部に回転自在にヒンジ接続されてもよい。前記差込部は前記携帯用端末の一側部がスライド挿入されるように前記端末ドッキングユニットに溝形状に形成されてもよい。すなわち、端末ドッキングユニットは、ヒンジ接続部を中心に回転され、前記携帯用端末は前記差込部に挟まれた状態で前記端末ドッキングユニットと共に回転される。
【００１９】
前記携帯用端末には、前記端末表示部に表示される映像を映像信号として出力する映像出力端子が形成されてもよい。前記端末ドッキングユニットには、前記端末表示部の映像を前記ユニット表示部に表示するために前記映像出力端子から前記映像信号の入力を受ける映像入力端子が形成されてもよい。前記映像入力端子と前記映像出力端子は、前記携帯用端末の装着時に互いに結合されてもよい。
【００２０】
したがって、前記携帯用端末の映像信号は、前記映像出力端子と前記映像入力端子を介して前記端末ドッキングユニットに入力された後、前記端末ドッキングユニットから前記ディスプレイユニットに伝達される。そして、前記ディスプレイユニットは、前記映像信号を用いて前記端末表示部と同一の映像を前記ユニット表示部に表示することができる。
【００２１】
前記端末ドッキングユニットと前記携帯用端末の接触部には、前記携帯用端末の装着時に前記端末表示部の電源を遮断する表示部の電源遮断機が形成されてもよい。すなわち、前記携帯用端末の一側部が前記差込部に挿入された場合、前記携帯用端末の一側部と前記差込部の接触部に形成された前記表示部電源遮断機が作動され、前記端末表示部の電源が遮断される。したがって、前記携帯用端末と前記ディスプレイユニットの結合時に前記携帯用端末の不要な電力の無駄遣いを減らすことができる。
【００２２】
前記ディスプレイユニットには、ユーザの操作に応じて前記携帯用端末の作動を制御する命令が入力される操作部が設けられてもよい。前記操作部は、タッチスクリーン、タッチパッド、キーパッド、電子ペン、ジョイステック、及び、キーボードのうち少なくとも１つを含んでもよい。
【００２３】
前記端末ドッキングユニットには、前記操作部の操作を信号に出力する信号出力端子が形成されてもよい。前記携帯用端末には、前記信号出力端子から前記操作信号の入力を受ける信号入力端子が形成されてもよい。前記信号出力端子と前記信号入力端子は、前記携帯用端末の装着時に互いに結合されてもよい。
【００２４】
したがって、前記ディスプレイユニットの操作信号は、前記端末ドッキングユニットに入力された後、前記信号出力端子と前記信号入力端子を介して前記携帯用端末に伝達される。そして、前記携帯用端末は前記操作信号に応じて作動が調整される。
【００２５】
前記ディスプレイユニットには、作動に必要な電源を供給する電源供給システムが設けられてもよい。前記携帯用端末が前記端末ドッキングユニットに装着された場合、前記携帯用端末は前記電源供給システムの電源によって充電されてもよい。
【発明の効果】
【００２６】
本発明の実施形態に係る端末装置は、携帯用端末をディスプレイユニットにスライド方式で手軽に装着することができる。したがって、携帯用端末は、ユーザの使用環境に応じて独立的に用いたり、またはディスプレイユニットと共に用いられたりするため、端末装置の効用性を向上させることができる。
【００２７】
また、本発明の実施形態に係る端末装置は、携帯用端末の端末表示部に表示される映像をディスプレイユニットのユニットディスプレイに表示することができるため、端末表示部よりさらに広い画面で携帯用端末の各種機能を容易に活用することができる。したがって、端末装置は、端末表示部の画面が小さいことから発生する不便さを除去することができる。
【００２８】
また、本発明の実施形態に係る端末装置は、携帯用端末を端末ドッキングユニットに結合した状態で携帯用端末と端末ドッキングユニットを回転し、ディスプレイユニットの支持台として用いることができる。したがって、端末ドッキングユニットと携帯用端末は、ユーザによって使用しやすい角度でディスプレイユニットを容易に配置することができる。
【００２９】
また、本発明の実施形態に係る端末装置における携帯用端末は、ディスプレイユニットとの結合時に端末表示部の電源が遮断されるため、携帯用端末の不要な電力の無駄遣いを減らし、これによって携帯用端末の作動時間を増加させることができる。
【図面の簡単な説明】
【００３０】
【図１】本発明の一実施形態に係る端末装置を示す正面図である。
【図２】図１に示された携帯用端末の装着過程を示す状態図である。
【図３】図２に示された携帯用端末と装脱着部の主要部を示す断面図である。
【図４】図３に示された主要部が完全に結合された状態を示す断面図である。
【図５】本発明の他の実施形態に係る端末装置で携帯用端末の装着過程を示す斜視図である。
【図６】図５に示された端末ドッキングユニットの第１位置と第２位置をそれぞれ示す斜視図である。
【図７】図５に示された端末ドッキングユニットの第１位置と第２位置をそれぞれ示す斜視図である。
【図８】図５に示された携帯用端末と端末ドッキングユニットの主要部を示す断面図である。
【発明を実施するための形態】
【００３１】
以下、本発明に係る実施形態を添付する図面を参照しながら詳細に説明する。しかし、本発明が実施形態によって制限されたり限定されたりすることはない。各図面に提示された同一の参照符号は同一の部材を示す。
【００３２】
図１は本発明の一実施形態に係る端末装置を示す正面図であり、図２は図１に示された携帯用端末の装着過程を示す状態図である。そして、図３は図２に示された携帯用端末と装脱着部の主要部を示す断面図であり、図４は図３に示された主要部が完全に結合された状態を示す断面図である。
【００３３】
図１ないし図４を参照すると、本発明の一実施形態に係る端末装置１００は、携帯用端末１１０及びディスプレイユニット１２０を備える。
【００３４】
携帯用端末１１０は、映像を外部に表示する携帯可能な端末を全て含む。ここで、携帯可能な端末という意味は、端末の大きさと重さ及び形状が携帯に負担を与えないよう小型及び軽量で形成され、携帯し易い構造で形成されたことを意味する。また、携帯用端末１１０は、通話、インターネットの接続、動画または音楽の再生、及び、各種のアプリケーションの実行のうち少なくとも１つの機能を備える。
【００３５】
例えば、携帯用端末１１０は、スマートフォン（smart phone）、ＰＤＡ（Personal Digital Assistant）、一般携帯電話、携帯用ゲーム機、ＰＭＰ（Portable Multimedia Player）、ＭＰ３プレーヤーなどを含んでもよい。以下は、携帯用端末１１０がスマートフォンであると仮定して説明することにする。
【００３６】
また、携帯用端末１１０の前面には各種の映像を表示する端末表示部１１２が形成される。このような端末表示部１１２は、携帯用端末１１０の大きさの限界によってその画面の広さに限界がある。端末表示部１１２として、ＬＣＤ、ＬＥＤ、電子インクなどのように映像を表示する各種のディスプレイが全て用いられてもよい。以下、本実施形態では、端末表示部１１２にＬＣＤが用いられるものと説明する。
【００３７】
ディスプレイユニット１２０は、携帯用端末１１０に形成された端末表示部１１２の映像を拡大させて表示する部材である。ディスプレイユニット１２０の前面には、端末表示部１１２よりも大きい画面で形成されたユニット表示部１２２が備えられる。ユニット表示部１２２は、ディスプレイユニット１２０の前面に最大限に大きく形成される。このようなユニット表示部１２２も端末表示部１１２のようにＬＣＤ、ＬＥＤ、電子インクなどのような各種のディスプレイが全て用いられてもよいが、以下の本実施形態ではユニット表示部１２２にＬＣＤが用いられるものと説明する。
【００３８】
また、ディスプレイユニット１２０には携帯用端末１１０を装着または取外すための装脱着部１２３が形成される。装脱着部１２３は、ディスプレイユニット１２０の前面以外の部分に形成されてもよい。その理由は、ディスプレイユニット１２０の前面に装脱着部１２３が形成されれば、ディスプレイユニット１２０の前面に形成されたユニット表示部１２２の大きさが減少するためである。
【００３９】
上記のような装脱着部１２３は、ディスプレイユニット１２０の側面または背面に携帯用端末１１０が挿入可能な溝の形状に形成されてもよい。装脱着部１２３の内側面には、携帯用端末１１０の装着または取外しを案内するガイド構造が形成されてもよく、携帯用端末１１０の任意的な取外しを防止する締結構造が形成されてもよい。以下、本実施形態では、図２に示すようにディスプレイユニット１２０の側面に装脱着部１２３を形成することとし、ガイド構造と締結構造に対する説明は省略する。
【００４０】
図２ないし図４を参照すると、携帯用端末１１０の側面部には端末表示部１１２に表示される映像を映像信号として出力する映像出力端子１１４が形成され、装脱着部１２３の内部には映像出力端子１１４から映像信号が入力される映像入力端子１２４が形成される。映像出力端子１１４と映像入力端子１２４は、ＵＳＢ（Universal Serial Bus）端子またはＨＤＭＩ（High Definition Multimedia Interface）端子で形成されてもよいが、これに限定されることなく、様々な種類の端子が使用される。
【００４１】
映像入力端子１２４と映像出力端子１１４は、携帯用端末１１０を装脱着部１２３に装着することによって直接的に結合されたり、または、ケーブルのような別途の接続部材で接続されてもよい。以下、本実施形態では、携帯用端末１１０の装着時に映像入力端子１２４と映像出力端子１１４が互いに結合されるものと説明する。
【００４２】
上記のように映像入力端子１２４と映像出力端子１１４が互いに接続された場合、映像入力端子１２４と映像出力端子１１４を介して伝達された端末表示部１１２の映像がユニット表示部１２２に表示される。
【００４３】
図２ないし図４を参照すると、装脱着部１２３と携帯用端末１１０の接触部には携帯用端末１１０の装着時に端末表示部１１２の電源を遮断する表示部の電源遮断機が形成されてもよい。表示部の電源遮断機は様々な構造や方法で実現されてもよい。
【００４４】
例えば、携帯用端末１１０の接触部に端末表示部１１２の電源を遮断する押しボタンを配置してもよく、装脱着部１２３の内部に携帯用端末１１０の装着時に押しボタンを押す突出部を形成してもよい。しかし、本実施形態では装脱着部１２３の内部に端末表示部１１２の電源遮断信号を発生する押しボタン１２８が突出形成され、押しボタン１２８が押されると、後述する信号入力端子１１６と信号出力端子１２６を介して携帯用端末１１０に電源遮断信号が伝達されるものと説明する。すなわち、携帯用端末１１０が装脱着部１２３に完全に装着すれば、携帯用端末１１０に接触する部分に形成された押しボタン１２８が押され、押しボタン１２８の作動信号が携帯用端末１１０に伝達されて端末表示部１１２に提供される電源が遮断される。
【００４５】
一方、ディスプレイユニット１２０と携帯用端末１１０にはユーザの操作に応じて命令が入力される操作部１１２ａ、１２２ａが備えられる。操作部１１２ａ、１２２ａは、タッチスクリーン、タッチパッド、キーパッド、電子ペン、ジョイステック、及びキーボードのうち少なくとも１つを含んでもよい。
【００４６】
以下、本実施形態ではディスプレイユニット１２０のユニット表示部１２２にタッチスクリーンが備えられたものと説明し、携帯用端末１１０の端末表示部１１２にもタッチスクリーンが備えられたものと説明する。したがって、ディスプレイユニット１２０と携帯用端末１１０は、仮想キーボードプログラムまたはキーパッドインタフェースプログラムなどを用いてタッチスクリーンを介して文字や数字などを入力してもよい。
【００４７】
図２ないし図４を参照すると、ディスプレイユニット１２０には、操作部１２２ａへの操作を操作信号として出力する信号出力端子１２６が形成され、携帯用端末１１０には信号出力端子１２６から操作信号が入力される信号入力端子１１６が形成される。信号出力端子１２６と信号入力端子１１６はＵＳＢ（Universal Serial Bus）端子で形成されてもよいが、これに限定されることなく様々な種類の端子が用いられてもよい。
【００４８】
信号出力端子１２６と信号入力端子１１６は、携帯用端末１１０を装脱着部１２３に装着することによって直接的に結合されたり、または、ケーブルのような別途の接続部材に接続されてもよい。以下、本実施形態では、携帯用端末１１０の装着時に信号出力端子１２６と信号入力端子１１６が互いに結合されるものとして説明する。したがって、ディスプレイユニット１２０の操作部１２２ａ、すなわち、タッチスクリーンを介して入力された操作信号によって携帯用端末１１０の作動が調整される。
【００４９】
一方、ディスプレイユニット１２０は、電源供給システム（図示せず）及び冷却システム（図示せず）を備えてもよい。ここで、電源供給システムは、ディスプレイユニット１２０の作動に必要な電源を供給する装置である。例えば、電源供給システムは、充電式バッテリ、一般乾電池、または電源ケーブルなどを含んでもよい。
【００５０】
ディスプレイユニット１２０は、電源供給システムの電源を用いてディスプレイユニット１２０に装着された携帯用端末１１０を充電する機能を備えてもよい。以下、本発明では映像出力端子１１４と映像入力端子１２４または信号出力端子１２６と信号入力端子１１６のうち少なくともいずれか１つによってディスプレイユニット１２０の電源が携帯用端末１１０に伝達されるものとして説明する。しかし、それに限定されることなく、別途の充電端子が携帯用端末１１０とディスプレイユニット１２０に追加されてもよい。
【００５１】
また、冷却システムは、ディスプレイユニット１２０を冷却する装置である。すなわち、冷却システムは、ディスプレイユニット１２０の作動時に発生する熱による温度上昇を防止し、ディスプレイユニット１２０の作動環境を安定に保持することができる。冷却システムは、ディスプレイユニット１２０に装着された携帯用端末１１０を冷却する機能も有していてもよい。携帯用端末１１０を冷却するための冷却システムは装脱着部１２３の周囲に形成される。例えば、冷却システムは、冷却ファンまたは放熱板などを含んでもよい。
【００５２】
上記のように構成された本発明の一実施形態に係る端末装置１００に対する装着過程及び作用効果について説明すると次の通りである。
【００５３】
まず、携帯用端末１１０をディスプレイユニット１２０の装脱着部１２３にスライド挿入する。すなわち、携帯用端末１１０を装脱着部１２３にスライド挿入する簡単な動作だけで携帯用端末１１０とディスプレイユニット１２０を連結することができる。一方、携帯用端末１１０を装脱着部１２３から取り出す動作だけで携帯用端末１１０とディスプレイユニット１２０が分離され得る。
【００５４】
上記のように携帯用端末１１０が装脱着部１２３の内部に挿入された場合、携帯用端末１１０の映像出力端子１１４は装脱着部１２３の映像入力端子１２４に結合され、携帯用端末１１０の信号入力端子１１６は装脱着部１２３の信号入力端子１１６に結合され、装脱着部１２３の押しボタン１２８は携帯用端末１１０の側面部によって押さえられるようになる。
【００５５】
したがって、携帯用端末１１０の映像信号は、映像出力端子１１４と映像入力端子１２４によってディスプレイユニット１２０に伝達され、ディスプレイユニット１２０は、映像信号を用いて端末表示部１１２に表示される映像がユニット表示部１２２に拡大された画面に表示される。それによって、携帯用端末１１０の端末表示部１１２より広いユニット表示部１２２を介して携帯用端末１１０の各種の機能をユーザは手軽に使用することができる。
【００５６】
また、上記のように携帯用端末１１０とディスプレイユニット１２０が結合された状態でディスプレイユニット１２０の操作部１２２ａによってユーザの各種命令が入力された場合、ディスプレイユニット１２０の操作信号は信号出力端子１２６と信号入力端子１１６を介して携帯用端末１１０に伝達され、携帯用端末１１０は操作信号により作動が調整される。したがって、携帯用端末１１０を直接操作する必要がなく、ディスプレイユニット１２０によってユーザが携帯用端末１１０の作動を操作することができる。
【００５７】
また、表示部の電源遮断機の押しボタン１２８が携帯用端末１１０によって押されれば、表示部の電源遮断機によって電源遮断信号が発生し、電源遮断信号は信号出力端子１２６と信号入力端子１１６によって携帯用端末１１０に伝達される。したがって、携帯用端末１１０は、電源遮断信号により端末表示部１１２に提供される電源を遮断して電力の無駄遣いを防止することができる。実際に、携帯用端末１１０が装脱着部１２３に挿入されれば、ディスプレイユニット１２０のユニット表示部１２２を介して全ての情報のやり取りと確認が行われるため、携帯用端末１１０の端末表示部１１２を使用する必要がない。
【００５８】
もし、ディスプレイユニット１２０の使用が不要な状況であれば、ディスプレイユニット１２０の装脱着部１２３から携帯用端末１１０を取外し、携帯用端末１１０のみを携帯して使用してもよい。すなわち、ディスプレイユニット１２０の使用はユーザの使用環境及び好みに応じて選択的に決定され得る。
【００５９】
図５は、本発明の他の実施形態に係る端末装置について携帯用端末の装着過程を示す斜視図であり、図６及び図７は、図５に示された端末ドッキングユニットの第１位置と第２位置をそれぞれ示す斜視図である。そして、図８は、図５に示された携帯用端末と端末ドッキングユニットの主要部を示す断面図である。
【００６０】
図５ないし図８において、図１ないし図４に示された参照符号と同じ類似の参照符号は同じ部材を示す。以下は、図１ないし図４に示された端末装置１００と異なる点を中心に記述する。
【００６１】
図５ないし図８を参照すると、本発明の他の実施形態に係る端末装置２００が図１ないし図４に示された端末装置１００と異なる点は、携帯用端末１１０が装脱着部２２３に備えられた端末ドッキングユニット２１０に装着される点である。
【００６２】
上記のような端末ドッキングユニット２１０は、携帯用端末１１０とディスプレイユニット１２０との間で信号送信を媒介する部材である。端末ドッキングユニット２１０の両側部は、ディスプレイユニット１２０の背面に形成された装脱着部２２３に回転自在に連結される。すなわち、端末ドッキングユニット２１０の両側部は装脱着部２２３の内部両側部に回転自在にヒンジ接続される。端末ドッキングユニット２１０はヒンジ接続部を中心に回転されるが、端末ドッキングユニット２１０の回転角度は、後述する第１位置Ｐ１と第２位置Ｐ２を定義する角度範囲に限定される。
【００６３】
そして、端末ドッキングユニット２１０には、携帯用端末１１０の一側部が挟まれる差込部２１２が形成される。差込部２１２は、携帯用端末１１０の一側部がスライド挿入するように端末ドッキングユニット２１０に溝形状に形成されてもよい。したがって、端末ドッキングユニット２１０は、差込部２１２に挟まれた携帯用端末１１０と共に回転されてもよい。
【００６４】
携帯用端末１１０の一側部の側面には係止溝１１８が形成され、端末ドッキングユニット２１０の差込部２１２の内側面には携帯用端末１１０の装着時に係止溝１１８に挿入される係止突起２１８が形成される。このような係止溝１１８と係止突起２１８によって、携帯用端末１１０が差込部２１２に完全に挿入されたか否かを正確に確認することができ、携帯用端末１１０の任意的な取外しも防止できる。
【００６５】
また、端末ドッキングユニット２１０は、第１位置Ｐ１または第２位置Ｐ２のいずれか１つに選択的に配置されてもよい。第１位置Ｐ１は図６に示すように、携帯用端末１１０と端末ドッキングユニット２１０が装脱着部２２３の内部に挿入される位置である。第２位置Ｐ２は図７に示すように、携帯用端末１１０と端末ドッキングユニット２１０がディスプレイユニット１２０の支持台の役割を行うように携帯用端末１１０とディスプレイユニット１２０が一定の角度で開く位置である。すなわち、端末ドッキングユニット２１０が携帯用端末１１０と共に第２位置Ｐ２に配置された場合、ディスプレイユニット１２０が机のような水平面に所定の斜め角度に傾斜して設けられるため、ユーザがユニット表示部１２２をより効果的で楽な姿勢で確認することができる。
【００６６】
また、端末ドッキングユニット２１０の差込部２１２には映像入力端子１２４、信号出力端子１２６、及び表示部の電源遮断機の押しボタン１２８が配置される。このように携帯用端末１１０が差込部２１２の内部に挟まれた場合、携帯用端末１１０の映像出力端子１１４は、端末ドッキングユニット２１０の映像入力端子１２４に結合され、携帯用端末１１０の信号入力端子１１６は端末ドッキングユニット２１０の信号入力端子１１６に結合され、端末ドッキングユニット２１０の押しボタン１２８は携帯用端末１１０の一側部によって押さえられる。
【００６７】
以下、本実施形態では映像入力端子１２４、信号出力端子１２６、及び表示部の電源遮断機の押しボタン１２８は図３及び図４に示された装脱着部２２３の映像入力端子１２４、信号出力端子１２６、及び表示部の電源遮断機の押しボタン１２８と同じまたは類似の機能を行う構成であるため、それに対する詳細な説明は省略する。
【００６８】
一方、端末ドッキングユニット２１０は、様々な方法と構造でディスプレイユニット１２０と信号送信が可能に接続される。例えば、端末ドッキングユニット２１０とディスプレイユニット１２０を接続するケーブル（図示せず）が端末ドッキングユニット２１０と装脱着部２２３のヒンジ接続部の回転軸の内部を通過するように配置されたり、または、端末ドッキングユニット２１０とディスプレイユニット１２０を接続するケーブル（図示せず）が端末ドッキングユニット２１０の差込部２１２が形成されていない部分を貫通して装脱着部２２３に適当な長さに接続されてもよい。
【００６９】
上述したように本発明の実施形態では、本発明を限定された実施形態と図面によって説明したが、上記の実施形態に限定されることなく、本発明が属する分野における通常の知識を有する者であれば、このような実施形態から多様な修正及び変形が可能である。したがって、本発明の範囲は、開示された実施形態に限定されず、特許請求の範囲だけではなく、特許請求の範囲と均等なものなどによって定められる。
【図１】
2013544392.tif 000003
【図２】
2013544392.tif 000004
【図３】
2013544392.tif 000005
【図４】
2013544392.tif 000006
【図５】
2013544392.tif 000007
【図６】
2013544392.tif 000008
【図７】
2013544392.tif 000009
【図８】
2013544392.tif 000010
【国際調査報告】
2013544392.tif 000011
2013544392.tif 000012
2013544392.tif 000013
2013544392.tif 000014